(57)【特許請求の範囲】
【請求項１】
化粧料（Ｋ）を収納し、コンパクト容器のケース本体（２）に着脱自在に組付けられるレフィール容器であって、外殻体状のレフィール本体（１８）と有底筒状のレフィール底体（２４）との組合せ物と、前記化粧料（Ｋ）を収納すべく有頂短筒状に形成され、その頂壁（２６ａ）に多数の注出スリット（３５）を開設すると共に、筒壁（２６ｂ）の下部を前記レフィール底体（２４）の嵌着筒片（２５）に固定した合成樹脂フィルム製の内容器（２６）と、該内容器（２６）の頂壁（２６ａ）の上位に配設されたメッシュ体（２７）と、前記レフィール本体（１８）に一体にヒンジ結合したレフィール蓋（２９）とから構成し、前記内容器（２６）の筒壁（２６ｂ）に、上位に縮径して内側コーナー部（３７）が下方に容易に反転変形する段部（３６）を周設して成るレフィール容器。
【請求項２】
段部(36)を、筒壁(26b) の略中央部一箇所に周設して、内容器(26)を二段形状とし、該段部(36)より下位の筒壁下半部分を、レフィール本体(18)の嵌合筒片(21)と、該嵌合筒片(21)に嵌着するレフィール底体(24)の嵌着筒片(25)との間に挟持固定した請求項１記載のレフィール容器。
【請求項３】
段部(36)を、筒壁(26b) の略中央部の上下二箇所に周設して、内容器(26)を三段形状とし、下位の段部(36)から下方の筒壁下部を、レフィール本体(18)の嵌合筒片(21)と、該嵌合筒片(21)に嵌着するレフィール底体(24)の嵌着筒片(25)との間に挟持固定した請求項１記載のレフィール容器。
【発明の詳細な説明】
【０００１】
【発明の属する技術分野】
本発明は、液状化粧料等を収納し、コンパクト容器のケースにカセット状に着脱自在に組付けて使用されるレフィール容器に関するものである。
【０００２】
【従来の技術】
液状化粧料を収納し、コンパクト容器等に装着されて使用される化粧料容器として、特開平１０−１７９２４５号公報に開示されたものが知られている。
【０００３】
この従来技術に示された化粧料容器は、液状化粧料を収納する変形可能な皿状の容器の開口面を、合成樹脂フィルムで封止すると共に、このフィルムの表面にメッシュ体を取り付け、かつフィルムに、小孔、直線状のスリットあるいは十字状のスリット等の化粧料流出部を設けて構成されている。
【０００４】
そして、使用に際しては、パフ等でメッシュ体を押圧することにより、容器を潰れ変形させて、化粧料をフィルムの流出部から注出させ、これをパフ等ですくいとって使用するようになっている。
【０００５】
【発明が解決しようとする課題】
しかしながら、上記した従来技術にあっては、パフ等による押圧時に、容器が潰れ変形しにくいため、使用による化粧料の減量につれてその注出がスムーズでなくなり、注出量が不十分になり易い、と云う問題があった。
【０００６】
そこで、本発明は、上記した従来技術における問題点を解消すべく創案されたもので、パフ等による押圧時に、化粧料を収納しているレフィール容器の内容器を潰れ変形し易くすることを技術的課題とし、もって化粧料の注出が常にスムーズにかつ十分に行われるようにすることを目的とする。
【０００７】
【課題を解決するための手段】
上記技術的課題を解決する本発明の内、請求項１記載の発明の手段は、
化粧料を収納し、コンパクト容器のケース本体に着脱自在に組付けられるレフィール容器であること、
外殻体状のレフィール本体と有底筒状のレフィール底体との組合せ物と、化粧料を収納すべく有頂短筒状に形成され、その頂壁に多数の注出スリットを開設すると共に、筒壁の下部をレフィール底体の嵌着筒片に固定した合成樹脂フィルム製の内容器と、この内容器の頂壁の上位に配設されたメッシュ体と、レフィール本体に一体にヒンジ統合したレフィール蓋とから構成すること、
内容器の筒壁に、上位に縮径して内側コーナー部が下方に容易に反転変形する段部を周設すること、
にある。
【０００８】
コンパクト容器の使用にあたって、パフ等によりメッシュ体を介して内容器の頂壁を下方へ押圧すると、化粧料が注出スリットから注出され、繰り返しの使用により次第に減少していくが、その減少につれて、筒壁に設けた段部の内側コーナー部が下方へ容易に反転変形しながら、内容器が定形的に潰れ変形していくので、化粧料は常にスムーズかつ十分に注出される。
【０００９】
請求項２記載の発明は、請求項１記載の発明に、段部を、筒壁の略中央部一箇所に周設して、内容器を二段形状とし、この段部より下位の筒壁下半部分を、レフィール本体の嵌合筒片と、この嵌合筒片に嵌着するレフィール底体の嵌着筒片との間に挟持固定した、ことを加えたものである。
【００１０】
この請求項２記載の発明にあっては、内容器が潰れ変形して、最終的には、その頂壁の略全体がレフィール底体の内底面に密着するので、化粧料はレフィール底体の内縁隅部にわずかに残るだけとなり、ほとんど無駄なく使い切ることができる。
【００１１】
請求項３記載の発明は、請求項１記載の発明に、段部を、筒壁の略中央部の上下二箇所に周設して、内容器を三段形状とし、下位の段部から下方の筒壁下半部分を、レフィール本体の嵌合筒片と、この嵌合筒片に嵌着するレフィール底体の嵌着筒片との間に挟持固定した、ことを加えたものである。
【００１２】
この請求項３記載の発明にあっては、内容器の潰れ変形時において、下位の段部の内側コーナー部が下方へ反転方向に変形する際に、上位の段部の外側コーナー部が嵌着筒片の内側角部に沿う形態に変位するので、潰れ変形がよりスムーズに進行する。
【００１３】
【発明の実施の形態】
以下、本発明の実施例を、図面を参照しながら説明する。
図１〜図７は第一実施例を示したもので、コンパクト容器は、化粧料Ｋを開閉自在に、かつ塗布使用し易い状態で密に収納保持するレフィール容器１７を、鏡１６を有するケース１に着脱自在（図１参照）に組合せて構成され、ケース１は、レフィール容器１７を着脱自在に組付けるケース本体２とケース蓋１１とを蝶番結合して構成され、レフィール容器１７は、レフィール本体１８とレフィール蓋２９とを、一体にヒンジ結合して構成されている。
【００１４】
ケース１のケース本体２は、上下に開放した中央空間部をレフィール容器１７の収納部としたリング構造をしており、内周面下端に、組付けたレフィール容器１７の下方への抜け出しを阻止する底内鍔片３を周設し、前端部に開閉係止機能部Ｌの開閉用凹部４を、後端部に蝶番凹部７を、そして左右両側上面にレフィール容器１７組付け用に装着用欠部８を設け、さらに内周面に、組付き係止機能部Ｍの組付け係止片９を、斜め左右前後の四箇所に、平面形状の中心点に関して点対称に配置すると共に、外れ防止係止機能部Ｎの外れ防止係止突片１０を、組付け係止片９よりも前側の二箇所に左右対称に配置して設けて構成されている。
【００１５】
ケース１のケース蓋１１は、全体形状が伏した薄皿構造をしていて、前端部に開閉係止機能部Ｌの開閉係止片１２を、また後端部に蝶番片１３をそれぞれ垂下設し、貼着固定した鏡１６を避けた内面箇所に四つの押圧突片１４を、中心点に関して点対称に垂下設し、また左右両側端に引っ掛け片１５を左右対称に垂下設して構成されている。
【００１６】
レフィール容器１７のレフィール本体１８は、レフィール底体２４および内容器２６との組合せにより化粧料Ｋの収納部を構成し、レフィール本体１８とレフィール底体２４との組合せ物の外周面には、組付き係止機能部Ｍの組付き係止片２２を、斜め前後左右の四箇所に、中心点に関して点対称に設け、また外れ防止係止機能部Ｎの外れ防止凹部２３を、前後端部の左右端の四箇所に、中心点に関して点対称に設けており、ヒンジ３４を装着用欠部８内に位置させた状態で、レフィール底体２４の下面周端部をケース本体２の底内鍔片３に上方から係止させることにより、ケース本体２の収納部に下方へ抜け出し不能に嵌入組付きする。
【００１７】
このレフィール本体１８は、図３に示すように、リング状をした本体部分の上面内周端から口鍔筒片１９を立設すると共に、この口鍔筒片１９の外側に係止筒片２０を立設し、また本体部分の下面に嵌合筒片２１を垂下設して構成され、嵌合筒片２１と強固に嵌合する嵌着筒片２５（図示実施例の場合、嵌合筒片２１を間に強固に嵌合させる二重筒構造となっている）を平板体の上面周端に立設したレフィール底体２４との組付きにより、有頂短筒状に構成された合成樹脂フィルム製の内容器２６の筒壁下部を、嵌合筒片２１と嵌着筒片２５との間に強固に挟持し、この内容器２６の挟持組付けにより、内容器２６とレフィール底体２４との組合せ物内に化粧料Ｋを収容した状態で組立てられる。
【００１８】
レフィール容器１７のレフィール蓋２９は、平板状本体部分の周端縁に、レフィール本体１８の係止筒片２０に外嵌係合する係合筒片３１を、またこの係合筒片３１の内側の下面部分に、レフィール本体１８の口鍔筒片１９に密嵌合するシール筒片３０をそれぞれ垂下設し、さらに係合筒片３１の一部を上方に延長させた形態で、四つの受け突片３２（図１および図４参照）を、押圧突片１４に対向して起立設し、引っ掛かり片３３（図１および図３参照）を、ヒンジ３４とは反対の側端部に起立設して構成され、係合筒片３１の側端下端部をレフィール本体１８にヒンジ３４（図３参照）で一体結合して構成されている。
【００１９】
レフィール蓋２９は、シール筒片３０をレフィール本体１８の口鍔筒片１９に密嵌合させることにより、レフィール本体１８の開口部を密閉するが、このシール筒片３０の口鍔筒片１９への密嵌合は、レフィール本体１８の係止筒片２０とレフィール蓋２９の係合筒片３１との嵌合組付きを、両側方部（一方側にヒンジ３４が位置している、図３参照）と前後両部とを係止させることにより維持して確保され、この係止筒片２０と係止筒片３１との係止は、四つの係止部の間に位置する受け突片３２に対するケース蓋１１の押圧突片１４の押圧により確保される。
【００２０】
レフィール蓋２９の引っ掛かり片３３は、ヒンジ３４とは反対の側方箇所に位置しているので、ケース１の閉状態では、ケース蓋１１の引っ掛け片１５が下方から対向し、ケース蓋１１を開放回動させると、このケース蓋１１の引っ掛け片１５が引っ掛かり片３３に下方から引っ掛かって上方に引き上げるので、ケース蓋１１の開放と一緒にレフィール容器１７の開放が達成されることになるが、この動作は、引っ掛け片１５が左右両側に対称に設けられていることから、ケース１に対するレフィール容器１７の組付け姿勢を左右反転させても同じとなる。
【００２１】
蝶番凹部７に蝶番片１３を嵌合させて蝶番軸により蝶番結合されてケース本体２とケース蓋１１の先端間に形成された開閉係止機能部Ｌ（図１参照）は、ケース本体２の前端部に形成した開閉用凹部４の底面に設けた係止突片５と、ケース蓋１１の前端部に垂下状に設けた開閉係止片１２を主体として構成され、開閉用凹部４内に前後変位可能に組み付けられた開閉駒片６の、押圧されることによる後退変位を利用して、係止突片５と開閉係止片１２との係止を解除するようにしている。
【００２２】
レフィール容器１７は、レフィール本体１８に対するレフィール底体２４の嵌合組付けにより、内容器２６の組付けと化粧料Ｋの収納とを達成するが、化粧料Ｋを直接収納している内容器２６の多数のスリット３５を開設した頂壁２６ａの上位には、化粧料Ｋの注出形態を適正に制御するメッシュ体２７が設けられており、さらに口鍔筒片１９の上周面には、化粧料Ｋの密封収納を強固にかつ確実に達成するための剥離自在な密閉シート２８が取り付けられている。
【００２３】
化粧料Ｋを収納したレフィール容器１７は、その引っ掛かり片３３およびヒンジ３４を装着用欠部８に対向させた姿勢で、組付き係止機能部Ｍによりケース本体２に組付け保持される。
【００２４】
なお、コンパクト容器の閉姿勢状態で、ケース蓋１１の押圧突片１４との突き当りにより、ケース１の開閉係止機能部Ｌの閉鎖保持力を利用してレフィール容器１７の閉状態を確保する受け突片３２は、ケース蓋１１とレフィール蓋２９との間に、パフＰを安定して収納できるパフ収納部を形成している。
【００２５】
内容器２６は、図６、図７に示すように、その筒壁２６ｂの略中央部に、上位に縮径する断面略直角形状の段部３６を設けた二段形状に形成されており、この段部３６から下位の筒壁２６ｂ下部が、嵌合筒片２１と嵌着筒片２５との間に挟持固定されている。
【００２６】
そして、使用時毎のパフＰ等による押圧により、化粧料Ｋが頂壁２６ａの注出スリット３５から注出されて、減少していくにつれて、図７に示すように、段部３６の内側コーナー部３７が下方へ容易に反転変形しながら定形的に潰れ変形するので、化粧料Ｋがスムーズにかつ十分に注出され、最終的には、頂壁２６ａの略全体がレフィール底体２４の内底面に密着するため、化粧料Ｋはその内縁隅部にわずかな残部ｋを残すだけとなり、ほとんど無駄なく使い切ることができる。
【００２７】
図８は、本発明の第二実施例を示したもので、内容器２６の筒壁２６ｂの上下二箇所に段部３６、３６を周設して三段形状に形成し、下位の段部３６から下方の筒壁２６ｂ下部を、嵌合筒片２１と嵌着筒片２５との間に挟持固定したものである。
【００２８】
この実施例にあっては、内容器２６の潰れ変形時において、下位の段部３６の内側コーナー部３７が下方へ反転方向に変形する際に、上位の段部３６の外側コーナー部が嵌着筒片２５の内側角部に沿う形態に変位するので、潰れ変形がよりスムーズに進行する。
【００２９】
【発明の効果】
本発明は、上記した構成となっているので、以下に示す効果を奏する。
コンパクト容器の使用の度毎に、パフ等によりメッシュ体を介して内容器の頂壁を下方へ押圧すると、化粧料が注出スリットから注出され、次第に減少していくが、その減少につれて、筒壁に設けた段部の内側コーナー部が下方へ反転変形しながら、内容器が定形的に潰れ変形していくので、内容器の潰れ変形が容易にかつ円滑になり、もって、化粧料を常にスムーズにかつ十分に注出させることができる。
【図面の簡単な説明】
【図１】本発明の第一実施例を示す、コンパクト容器のケースと分離させた状態での斜視図。
【図２】図１に示した実施例の、組付き状態での平面図。
【図３】図１に示した実施例の、ケース閉状態での縦断正面図。
【図４】図１に示した実施例の、レフィール容器の正面図。
【図５】図１に示した実施例の、レフィール容器の開蓋状態での一部破断した平面図。
【図６】図１に示した実施例における、内容器の正面図。
【図７】図１に示した実施例の、要部拡大縦断面図。
【図８】本発明の第二実施例を示す、内容器の正面図。
【符号の説明】
１    ；  ケース
２    ；  ケース本体
３    ；  底内鍔片
４    ；  開閉用凹部
５    ；  係止突片
６    ；  開放駒片
７    ；  蝶番凹部
８    ；  装着用欠部
９    ；  組付け係止片
１０  ；  外れ防止係止突片
１１  ；  ケース蓋
１２  ；  開閉係止片
１３  ；  蝶番片
１４  ；  押圧突片
１５  ；  引っ掛け片
１６  ；  鏡
１７  ；  レフィール容器
１８  ；  レフィール本体
１９  ；  口鍔筒片
２０  ；  係止筒片
２１  ；  嵌合筒片
２２  ；  組付き係止片
２３  ；  外れ防止凹部
２４  ；  レフィール底体
２５  ；  嵌着筒片
２６  ；  内容器
２６ａ；  頂壁
２６ｂ；  筒壁
２７  ；  メッシュ体
２８  ；  密封シート
２９  ；  レフィール蓋
３０  ；  シール筒片
３１  ；  係合筒片
３２  ；  受け突片
３３  ；  引っ掛かり片
３４  ；  ヒンジ
３５  ；  注出スリット
３６  ；  段部
３７  ；  内側コーナー部
Ｋ    ；  化粧料
ｋ    ；  残部
Ｐ    ；  パフ
Ｌ    ；  開閉係止機能部
Ｍ    ；  組付き係止機能部
Ｎ    ；  外れ防止係止機能部
【図１】
0004626863.tif 000002
【図２】
0004626863.tif 000003
【図３】
0004626863.tif 000004
【図４】
0004626863.tif 000005
【図５】
0004626863.tif 000006
【図６】
0004626863.tif 000007
【図７】
0004626863.tif 000008
【図８】
0004626863.tif 000009